(57)【特許請求の範囲】
【請求項１】
化粧品が収納された化粧品容器を内包すると共に、少なくとも前記化粧品が目視できる部分が透明領域とされた容器本体と、
紫外線を吸収する特性を有しており、前記化粧品の少なくとも前記紫外線により変質する部位を覆うように配設される紫外線吸収部材とを具備し、
前記紫外線吸収部材は、前記化粧品容器の前面全体を覆う形状に成形されており、前記化粧品容器に取り付けられた状態で前記容器本体内に装着されることにより、前記容器本体内において前記化粧品容器を固定するための紫外線吸収トレイであり、
前記紫外線吸収部材の厚さは、１０μｍ以上０．５ｍｍ以下であることを特徴とする化粧品容器。
【請求項２】
前記紫外線吸収部材は、基材に紫外線吸収剤が配合或いは被膜形成された構成であることを特徴とする請求項１記載の化粧品容器。
【請求項３】
前記紫外線吸収部材は、基材そのものが紫外線吸収能を有するものであることを特徴とする請求項１又は２に記載の化粧品容器。
【発明の詳細な説明】
【０００１】
【発明の属する技術分野】
本発明は化粧品容器に係り、特に紫外線により変色や変質を発生する化粧品を内包する化粧品容器に関する。
【０００２】
【従来の技術】
近年、化粧品（例えば、コンパクト等）においても量販化が進み、これに伴い化粧品を化粧品容器に内包した状態で店頭或いは店内に展示し、購買者が直接この展示された化粧品を化粧品容器と共に手に取り判断し、購買することが行なわれている。このように、購買者が直接化粧品を見て購入するか否かを判断する商品を、一般にセルフ商品と称している。
【０００３】
従って、セルフ商品として販売される化粧品は、化粧品容器の外部から内包されている化粧品を視認する必要があるため、よって化粧品容器を構成する容器本体は、少なくとも化粧品が目視できる部分が透明領域とされている。具体的には、この種の化粧品容器は透明樹脂により形成されており、よって化粧品容器の外部から内包された化粧品を見ることができる構成とされていた。
【０００４】
上記のように、セルフ商品の場合、購買者が直接商品を見て購買するか否かを決定するが、この際にセルフ商品が化粧品の場合、化粧品の色は購買者が商品を購入するか否かを決定する大きな要素となる。このため、化粧品を内包する化粧品容器は、化粧品を明確に確認することができるよう、高い透明性が要求されている。
【０００５】
【発明が解決しようとする課題】
ところで、上記のようなセルフ商品として化粧品を販売する場合、例えばコンパクトにおいては、内部のファンデーションの色が判るよう、ファンデーション容器の蓋を開いた状態で化粧品容器に収納することが行なわれる。
しかるに、透明領域を有する化粧品容器では、この透明領域から紫外線が容器内部に侵入することが考えられる。前記のように、化粧品容器の透明領域の形成位置は化粧品を視認しうる位置に設定されているため、容器内部に侵入した紫外線は化粧品に照射されることとなる。
【０００６】
よって、単に透明領域を有した化粧品容器では、容器内部に侵入する紫外線により、化粧品に変色や変質を発生するおそれがあるという問題点があった。
本発明は上記の点に鑑みてなさたれものであり、内包される化粧品の視認性を確保しつつ紫外線による化粧品の変色や変質を防止しうる化粧品容器を提供することを目的とする。
【０００７】
【課題を解決するための手段】
上記の課題は、次に述べる手段を講じることにより解決することができる。請求項１に記載の発明に係る化粧品容器は、化粧品が収納された化粧品容器を内包すると共に、少なくとも前記化粧品が目視できる部分が透明領域とされた容器本体と、紫外線を吸収する特性を有しており、前記化粧品の少なくとも前記紫外線により変質する部位を覆うように配設される紫外線吸収部材とを具備し、前記紫外線吸収部材は、前記化粧品容器の前面全体を覆う形状に成形されており、前記化粧品容器に取り付けられた状態で前記容器本体内に装着されることにより、前記容器本体内において前記化粧品容器を固定するための紫外線吸収トレイであり、前記紫外線吸収部材の厚さは、１０μｍ以上０．５ｍｍ以下であることを特徴とするものである。
【０００９】
また、請求項２に記載の発明は、請求項１又は２に記載の化粧品容器において、前記紫外線吸収部材は、基材に紫外線吸収剤が配合或いは被膜形成された構成であることを特徴とするものである。
【００１０】
また、請求項３に記載の発明は、請求項１又は２に記載の化粧品容器において、前記紫外線吸収部材は、基材そのものが紫外線吸収能を有するものであることを特徴とするものである。
【００１３】
上記の各手段は、次のように作用する。請求項１に記載の発明によれば、容器本体内に侵入する紫外線は紫外線吸収トレイで吸収されるため、化粧品に照射されるのを防止することができる。また、紫外線吸収部材の厚さを１０μｍ以上０．５ｍｍ以下とすることにより、透明性を維持しつつ紫外線の吸収を確実に行うことができる。即ち、紫外線吸収部材の厚さが１０μｍ未満であると、紫外線の吸収を確実に行うことができない。また、紫外線吸収部材の厚さが０．５ｍｍを超えると、紫外線吸収部材に色が付くようになり、透明性が劣化する。よって、紫外線吸収部材の厚さを上記範囲に設定することにより、透明性及び紫外線吸収性を共に良好なものとすることができる。よって、紫外線により化粧品に変質が発生することを防止でき、セルフ商品として販売しても化粧品の信頼性を高めることができる。また、容器本体全体に紫外線吸収機能を持たせる構成に比べ、低コスト化を図ることができる。
【００１４】
また、請求項２に記載の発明によれば、紫外線吸収部材を基材に紫外線吸収剤が配合或いは被膜形成された構成とすることにより、加工性よく容易に紫外線吸収部材を形成することができる。
【００１５】
また、請求項３に記載の発明によれば、紫外線吸収部材として基材そのものが紫外線吸収能を有するものを用いたことにより、紫外線吸収部材を製造する際に紫外線吸収剤の配合処理及び塗布処理は不要となり、容易かつ安価に紫外線吸収部材を製造することができる。
【００２０】
【発明の実施の形態】
次に本発明の実施の形態について、図面と共に説明する。
図１は本発明の第１実施例である化粧品容器１０Ａを示す斜視図である。本実施例に係る化粧品容器１０Ａは、図示されるようにコンパクト容器１６を内包する容器を例に挙げている。しかるに、本発明の適用はコンパクト容器１６に限定されるものではなく、他の化粧品容器にも適用できるものである。
【００２１】
先ず、化粧品容器１０Ａ内に収納されるコンパクト容器１６の構成について説明する。コンパクト容器１６は、大略するとコンパクト容器本体１８とコンパクト容器蓋体２０とにより構成されており、コンパクト容器蓋体２０はヒンジ部２２でコンパクト容器本体１８に連結されることにより、コンパクト容器本体１８に対して開閉可能な構成とされている。
【００２２】
また、コンパクト容器本体１８には、凹部が形成されており、この凹部内にはレフィール容器（図示せず）に充填された状態の化粧品２４（例えば、ファンデーション，おしろい等）が収納されている。この化粧品２４は、例えば体質顔料，白色顔料，着色顔料，結合剤，香料等が配合されており、この中には紫外線により変色したり変質する物質も含まれている。
【００２３】
続いて、上記構成とされたコンパクト容器１６の販売態様について説明する。前記したように、化粧品においても量販化が進み、これに伴い化粧品２４を装填したコンパクト容器１６を化粧品容器１０Ａに内包し、これを図３に示されるような陳列台３２のラックバー３４に掛け、店頭或いは店内に展示することが行なわれている。購買者は、この展示されたコンパクト容器１６を化粧品容器１０Ａと共に手に取り、直接的にコンパクト容器１６に収納されている化粧品２４を見て購入するか否かを判断する。
【００２４】
この購入するか否かの判断を購買者が行なう際、化粧品２４の色が購入を決定する大きな要因とになる。このため、購買者が直接的に化粧品２４の色を判別しうるよう、コンパクト容器１６を化粧品容器１０Ａに収納する際、コンパクト容器１６のコンパクト容器蓋部２０は開いた状態で化粧品容器１０Ａに収納されると共に、化粧品容器１０Ａは透明樹脂により形成される。
【００２５】
しかるに、前記したように、化粧品２４は紫外線により変色したり変質する物質も含まれているため、単に透明樹脂よりなる化粧品容器１０Ａを用いた場合、化粧品２４が紫外線により変色，変質するおそれがある。
続いて、上記構成とされたコンパクト容器１６を内包する化粧品容器１０Ａについて説明する。化粧品容器１０Ａは、例えば透明樹脂よりなる矩形状を有した容器本体１２と、この容器本体１２の開口を閉蓋する蓋部１４とを有した構成であり、また蓋部１４は容器本体１２と一体的な構成とされている。
【００２６】
この化粧品容器１０Ａは、蓋部１４を開蓋した状態でコンパクト容器１６を内部に収納し、蓋部１４を閉蓋することによりコンパクト容器１６を内包する。また、蓋部１４には図３に示した連列状態でラックバー３４に掛けるためのフック部２６が形成されている。このフック部２６にはラックバー３４を挿通する孔が形成されており、また蓋部１４に対し切り起こした状態で使用される。
【００２７】
この化粧品容器１０Ａは、コンパクト容器１６をコンパクト容器蓋部２０は開いて収納した状態において、少なくとも化粧品２４の位置と対向する部分が無色透明とされており、よって購買者が直接的に化粧品２４の色を判断しうる構成とされている。しかるに、単に化粧品２４の位置と対向する部分を無色透明とした構成では、紫外線により化粧品２４が変色，変質するおそれがあることは前述した通りである。
【００２８】
そこで本実施例では、図１及び図２に示されるように、コンパクト容器１６と化粧品容器１０Ａの容器本体１２との間に紫外線吸収シート３０（紫外線吸収部材）を配設したことを特徴とするものである。
この紫外線吸収シート３０は紫外線を吸収する特性を有し、樹脂よりなるシート基材に紫外線吸収剤を配合するか、或いはシート基材に紫外線吸収剤を例えば塗布，印刷等により被膜することにより形成されている。この紫外線吸収シート３０は、上記のようにシート基材に紫外線吸収剤を配合或いは被膜形成することにより形成されるため、加工性よく容易に形成することができる。
【００２９】
ここで用いられる紫外線吸収剤としては、例えばベンゾトリアゾール系（製品名：チヌビン），ポリエチレンナフタレート（ＰＥＮ），超微粒子セラミックス系（酸化セリウム，酸化チタン，塩化亜鉛等を分散粒子系１００ｎｍ以下に超微粒子化したもの）を採用することができる。尚、上記した三種の紫外線吸収剤の内、それ自体のみでフィルム形成或いは膜形成ができるのは、ポリエチレンナフタレートである。
【００３０】
また、紫外線吸収シート３０としては、上記の構成とされたものの他、シート基材そのものが紫外線吸収能を有するものを用いることも可能である。この場合には、紫外線吸収シート３０を製造する際、紫外線吸収剤の配合処理及び塗布処理等は不要となり、更に容易かつ安価に紫外線吸収シート３０を製造することができる。
【００３１】
更に、本実施例では、紫外線吸収シート３０の厚さを１０μｍ以上で、かつ０．５ｍｍ以下に設定している。紫外線吸収シート３０の厚さを上記範囲に設定することにより、透明性を維持しつつ紫外線の吸収を確実に行なうことができる。即ち、紫外線の吸収率は紫外線吸収シート３０の厚さと関係しており、紫外線吸収シート３０の厚さが１０μｍ未満であると、紫外線の吸収を確実に行なうことができなくなる。また、紫外線吸収シート３０は厳密にいうと若干の色を有しているため、紫外線吸収シート３０の厚さが０．５ｍｍを越えると紫外線吸収シート３０の色が目立つようになり透明性が劣化する。
【００３２】
よって、上記した理由により、紫外線吸収シート３０の厚さを１０μｍ以上で、かつ０．５ｍｍ以下に設定することにより、透明性及び紫外線吸収性を共に良好なものとすることができる。
上記構成とされた紫外線吸収シート３０は、容器本体１２の少なくとも化粧品２４が目視できる透明領域をその内部から覆うよう配設される。具体的には、紫外線吸収シート３０の配設範囲は、紫外線の影響を防ぎたい領域の面積の７０％以上に設定することが現実的である。この構成とすることにより、透明樹脂よりなる容器本体１２に侵入する紫外線は、この紫外線吸収シート３０で吸収されて化粧品２４に照射されるのを防止することができる。
【００３３】
よって、紫外線により化粧品２４に変色や変質が発生することを防止でき、コンパクト容器１６（化粧品２４）を購買者自信が判断して購入するセルフ商品として販売しても、化粧品２４の劣化がないため商品としての信頼性を高めることができる。
次に本発明の第２実施例について説明する。
【００３４】
図４は本発明の第２実施例である化粧品容器１０Ｂを示している。尚、図４において、図１及び図２に示した構成と同一構成については同一符号を付してその説明を省略する。
先に図１及び図２を用いて説明した第１実施例に係る化粧品容器１０Ａは、容器本体１２と別個に紫外線吸収シート３０を設け、これにより紫外線による化粧品２４の劣化を防止する構成とした。
【００３５】
これに対し、本実施例に係る化粧品容器１０Ｂは、容器本体１２の少なくとも化粧品２４が目視できる部分に設けられた透明領域に、直接的に紫外線吸収部３６（紫外線吸収部材）を形成したことを特徴とするものである。この紫外線吸収部３６は、上記透明領域に紫外線吸収剤を配合或いは被膜形成することにより形成される。
【００３６】
従って、本実施例の構成としても、前記した第１実施例と同様に、容器本体内１２に侵入する紫外線を紫外線吸収部３６で吸収することができ、よって化粧品２４に紫外線が照射されるのを防止することができる。これにより、紫外線により化粧品２４に変色や変質が発生することを防止でき、セルフ商品として販売しても化粧品２４の信頼性を高めることができる。
【００３７】
また、本実施例の構成では、容器本体１２に直接的に紫外線吸収部３６を形成する構成であるため、第１実施例に係る化粧品容器１０Ａに比べて部品点数を削減することができ、低コスト化を図ることができる。
更に、本実施例の変形例として、例えば容器本体１２の全体に紫外線吸収剤を塗布することにより、容器本体１２の全体に紫外線吸収機能を持たせることも可能である。しかるに、この構成では高価な紫外線吸収剤を多量用いることになり、本実施例の構成に比べコスト高となってしまう。
【００３８】
また、紫外線が照射されない部位に紫外線吸収剤を配設しても、化粧品２４に対する劣化防止機能は本実施例と略同一である。よって、本実施例で示した構成の方が現実的な構成である。
次に本発明の第３実施例について説明する。
図５は本発明の第３実施例である化粧品容器１０Ｃを示している。尚、図５において、図１及び図２に示した構成と同一構成については同一符号を付してその説明を省略する。
【００３９】
本実施例に係る化粧品容器１０Ｃは、容器本体１２と別個に紫外線吸収トレイ３８を設けたことを特徴とするものである。この紫外線吸収トレイ３８は、コンパクト容器１６をコンパクト容器蓋部２０を開いた状態で容器本体１２に固定するため、またスポンジバフ２３を所定位置に係止するために配設されるものである。
【００４０】
また、紫外線吸収トレイ３８の他の機能としては、化粧品２４に配合されている有機顔料の退色防止、スポンジバフ２３の退色防止，容器本体１２の隙間から進入する埃の化粧品２４への付着防止等が挙げられる。
このコンパクト容器１６及びスポンジバフ２３を固定するトレイは透明樹脂により形成されており、また一般にセルフ商品用の容器本体に広く用いられている。しかるに、従来では、このトレイに紫外線吸収機能を持たせたものは存在しなかった。
【００４１】
これに対し、紫外線吸収トレイ３８は、透明樹脂よりなる基材に紫外線吸収剤を配合するか、或いは基材に紫外線吸収剤を例えば塗布，印刷等により被膜することにより紫外線吸収機能を持たせた構成としている。即ち、紫外線吸収トレイ３８は、トレイとしての本来の機能であるコンパクト容器１６及びスポンジバフ２３を固定する機能に加え、紫外線吸収機能を有した構成とされている。
【００４２】
よって、紫外線により化粧品２４に変色や変質が発生することを防止でき、コンパクト容器１６（化粧品２４）を購買者自信が判断して購入するセルフ商品として販売しても、化粧品２４の劣化がないため商品としての信頼性を高めることができる。
また、紫外線吸収トレイ３８は、容器本体１２内にコンパクト容器１６を固定する機能と、上記のように紫外線を吸収する機能との二つの機能を有している。このため、本実施例の構成による化粧品容器１０Ｃによれば、紫外線吸収部材とトレイとを別個に設ける構成に比べ、部品点数の削減及びコストの低減を図ることができる。
【００４３】
次に本発明の第４実施例について説明する。
図６は本発明の第４実施例である化粧品容器１０Ｄを示している。尚、図６において、図１及び図２に示した構成と同一構成については同一符号を付してその説明を省略する。
通常、コンパクト容器１６では、化粧品２４の表面にこれを保護する透明な保護フィルムが設けられる。本実施例に係る化粧品容器１０Ｄは、この保護フィルムを紫外線吸収フィルム４０としたことを特徴とするものである。
【００４４】
この紫外線吸収フィルム４０は、透明樹脂よりなる基材に紫外線吸収剤を配合するか、或いは基材に紫外線吸収剤を例えば塗布，印刷等により被膜することにより紫外線吸収機能を持たせた構成としている。即ち、紫外線吸収フィルム４０は、保護フィルムとしての本来の機能である化粧品２４を保護する機能に加え、紫外線吸収機能を有した構成とされている。
【００４５】
よって、紫外線により化粧品２４に変色や変質が発生することを防止でき、コンパクト容器１６（化粧品２４）を購買者自信が判断して購入するセルフ商品として販売しても、化粧品２４の劣化がないため商品としての信頼性を高めることができる。また、上記のように、紫外線吸収フィルム４０は化粧品２４の保護機能と紫外線の吸収機能の二つの機能を併せ持つため、紫外線吸収部材と保護フィルムとを別個に設ける構成に比べ、部品点数の削減及びコストの低減を図ることができる。
【００４６】
【発明の効果】
上述の如く本発明によれば、次に述べる種々の効果を実現することができる。請求項１に記載の発明によれば、容器本体内に侵入する紫外線は紫外線吸収トレイで吸収されるため化粧品に照射されるのを防止することができ、紫外線により化粧品に変質が発生することを防止でき、セルフ商品として販売しても化粧品の信頼性を高めることができる。また、紫外線吸収トレイは、容器本体内に化粧品容器を固定する機能と、上記のように紫外線を吸収する機能との二つの機能を有しているため、紫外線吸収部材とトレイとを別個に設ける構成に比べ、部品点数の削減及びコストの低減を図ることができる。さらに、透明性を維持しつつ紫外線の吸収を確実に行うことができる。よって、容器本体全体に紫外線吸収機能を持たせる構成に比べ、低コスト化を図ることができる。
【００４８】
また、請求項２に記載の発明によれば、紫外線吸収部材を基材に紫外線吸収剤が配合或いは被膜形成された構成としたことにより、加工性よく容易に紫外線吸収部材を形成することができる。
【００４９】
また、請求項３に記載の発明によれば、紫外線吸収部材として基材そのものが紫外線吸収能を有するものを用いたことにより、紫外線吸収部材を製造する際に紫外線吸収剤の配合処理及び塗布処理は不要となり、容易かつ安価に紫外線吸収部材を製造することができる。
【図面の簡単な説明】
【図１】本発明の第１実施例である化粧品容器の斜視図である。
【図２】本発明の第１実施例である化粧品容器の化粧品装着状態における化粧品装と紫外線吸収シートとの位置関係を示す斜視図である。
【図３】化粧品容器が陳列される陳列台を示す斜視図である。
【図４】本発明の第２実施例である化粧品容器の斜視図である。
【図５】本発明の第３実施例である化粧品容器の斜視図である。
【図６】本発明の第４実施例である化粧品容器の斜視図である。
【符号の説明】
１０Ａ〜１０Ｄ  化粧品容器
１２  容器本体
１４  蓋体
１６  コンパクト容器
１８  コンパクト容器本体
２０  コンパクト容器蓋体
２４  化粧品
２６  フック部
３０  紫外線吸収シート
３２  陳列台
３４  ラックバー
３６  紫外線吸収部
３８  紫外線吸収トレイ
４０  紫外線吸収フィルム
【図１】
0003749365.tif 000002
【図２】
0003749365.tif 000003
【図３】
0003749365.tif 000004
【図４】
0003749365.tif 000005
【図５】
0003749365.tif 000006
【図６】
0003749365.tif 000007